(57)【要約】【課題】ピッチ精度が良く、且つ高ピッチ形成可能で、安価に製造可能なコイル及びそれを用いた電流センサを提供することにある。【解決手段】コイル線路部２は絶縁ベース１の片側の板面に並行形成した凹形状の各変形部４の両端内面に導体５を形成し且つ各隣接する変形部４，４間の絶縁ベース１の板面上に一端を隣接する一方側の変形部４の導体５の一端に、他端を隣接する他方側の変形部４の導体５の他端に電気的に接続するように導体６を形成して全体として蛇行状になっているもので、始端を出力端子３ａに、終端を出力端子３ｂに電気的に接続している。【選択図】図１
2006196778.tif 000002
【特許請求の範囲】
【請求項１】
板状に形成され、片側の板面を基準面として該基準面に凹形状若しくは凸形状の複数の変形部を長手方向が並行するように等間隔に設けた非磁性材からなる絶縁ベースと、
前記各変形部の長手方向の両端間表面に第１の導体を形成するとともに、各隣接する二つの変形部の一方の一端から両変形部間を介して他方の他端に至る前記板面部位に第２の導体を形成して該第２の導体により隣接する二つの変形部の一方の第１の導体の一端と他方の第１の導体の他端を電気的に接続することで蛇行状に構成されたコイル線路部と、前記コイル線路部近傍の前記板面に設けられ、前記コイル線路部の始端、終端を夫々接続する第１、第２の出力端子とから成ることを特徴とするコイル。
【請求項２】
前記第１の導体の導電率と、第２の導体の導電率とを異ならしていることを特徴とする請求項１記載のコイル。
【請求項３】
前記絶縁ベースは、スリット状の貫通孔を長手方向が並行するように等間隔に形成し、前記各貫通孔の一端側から当該貫通孔に並行隣接する表面上を介して隣接する貫通孔の他端側に至る前記第２の導体を形成した板状の第１の絶縁体と、
前記貫通孔の形成間隔と同じ間隔で並行する複数の前記第１の導体を表面に形成し、前記第１の絶縁体の各貫通孔に各第１の導体を臨ませ且つ第1の導体の一端を両側に隣接する第２の導体の一方の一端に接続し、他端を他方の他端に電気的に接続し、前記第１の絶縁体の裏面に貼り合わせた第２の絶縁体とから成ることを特徴とする請求項１又は２記載のコイル。
【請求項４】
前記第１の導体と前記第２の導体との電気的接続部位は、両絶縁体の貼り合わせ後に塗布される導電性インクにより形成されていることを特徴とする請求項３記載のコイル。
【請求項５】
前記絶縁ベースは前記各変形部間の板面部位に前記変形部位の変位方向とは逆方向に変位させた別の変形部を夫々並行形成して該別の並行部の表面の長手両端方向に前記第２の導体を形成していることを特徴とする請求項１又は２記載のコイル。
【請求項６】
前記各変形部の長手両端方向における端部を傾斜面若しくはＲ面により形成していることを特徴とする請求項１乃至５の何れか記載のコイル。
【請求項７】
前記絶縁ベースは各導体のパターン形成面に、導体のパターン形成ガイド用の溝を設けていることを特徴とする請求項１乃至６の何れか記載のコイル。
【請求項８】
中央辺が並行するように等間隔にパターン形成された略Ｚ字状の複数の第１の導体を片側の板面に形成した平板状の絶縁体と、前記各第１の導体を覆うように前記絶縁体の前記板面に重ねられて配設される絶縁性薄膜とで構成された絶縁ベースと、
隣接する二つの前記第１の導体の一方の一端と他方の他端との間を電気的に接続する第２の導体を前記絶縁性薄膜表面に形成して前記第１の導体と前記第２の導体とで蛇行状に構成されたコイル線路部と、
前記コイル線路部近傍の前記板面に設けられ、前記コイル線路部の始端、終端を夫々接続する第１、第２の出力端子とから成ることを特徴とするコイル。
【請求項９】
請求項１乃至８のコイルを用い、前記絶縁ベースを円筒状に形成するとともにコイル線路部の終端をコイル巻き戻し線路部により始端側に戻したロゴスキーコイルを構成して電流検出用コイルとしていることを特徴とする電流センサ。
【請求項１０】
前記絶縁ベースの裏面に導体箔を貼り付けてシールド部を構成し、前記コイル巻き戻し線路部を介して前記コイル線路部の終端を接続する第２の出力端子を前記導体箔に電気的に接続していることを特徴とする請求項９記載の電流センサ。
【請求項１１】
前記コイル線路部の終端を前記導体箔に接続するとともに、前記出力端子を前記コイル線路部の始端付近で前記導体箔に電気的に接続し、前記導体箔をコイル巻き戻し線路部として用いたことを特徴とする請求項１０記載の電流センサ。
【請求項１２】
前記導体箔に並行する複数条の絶縁用切り込みを形成していることを特徴とする請求項１０又は１１記載の電流センサ。
【請求項１３】
前記コイル巻き戻し線路と前記コイル線路部とを同形状に形成していることを特徴とする請求項９、１０又は１２記載の電流センサ。
【請求項１４】
前記コイル線路部の形成位置と、前記巻き戻し線路の形成位置とを前記変形部の両端方向にずらして両線路を並行させて前記コイル線路部と前記巻き戻し線路の巻き方向を同じ方向としたことを特徴とする請求項１３記載の電流センサ。
【請求項１５】
前記変形部の両端方向に並行する前記第１，２の導体間の前記絶縁ベース表面に、グランド用導体を第１，第２の導体に並行するように形成していることを特徴とする請求項９記載の電流センサ。
【請求項１６】
グランド用導体は前記変形部の表面と、隣接する変形部間の絶縁ベースの板面部位に交互に形成していることを特徴とする請求項１５記載の電流センサ。
【発明の詳細な説明】
【技術分野】
【０００１】
本発明は、電気、電子部品、磁気検出センサ等に用いられる空芯のコイル、及びそのコイルを用いた電流センサに関するものである。
【背景技術】
【０００２】
空芯のコイルは鉄心が無いため軽量で、また鉄心による飽和がないとう利点がある。その代表的な空芯のコイルとしてはロゴスキーコイルがある。このロゴスキーコイルは、分電盤内で主幹ブレーカだけでなく各々の分岐ブレーカに流れる電流計測に従来用いられていた変流器（ＣＴ）のような電流センサに代わり、電流検出用コイルとして用いられ、その特徴である鉄心の飽和がなく点を生かしたダイナミックレンジが広く、大電流まで検出できる電流センサを実現している。
【０００３】
ロゴスキーコイルの説明を、空芯のトーラス状の巻線で、コイルの中心を通って戻る構造をもった一例により行う。このロゴスキーコイルの場合、コイルを突き抜ける電流が変化すると電磁誘導によりコイルの両端に電圧が誘起されることで、電流検出用コイルとして機能するようになっている。
【０００４】
更に詳説するとロゴスキーコイルの出力電圧Ｖは、測定対象となる電線に流れる被測定電流を微分したものであり、以下の式で表され、この出力電圧Ｖを積分すれば電流波形が得られる。
【０００５】
ここで、Ｉは被測定電流、Ｓはロゴスキーコイルのコイルの断面積、μ０は真空の透磁率、Ｎはロゴスキーコイルの単位長さ当たりの巻数である。
【０００６】
【数１】
2006196778.tif 000003
【０００７】
この式で得られる出力電圧Ｖは、μ０（＝４π×１０−７）が係数として乗算されるため、例えば上述の上述のような分電盤の各ブレーカに流れる一般的な負荷電流（数Ａ〜）を検出しようとする場合、非常に小さい電圧となる。この出力電圧Ｖを大きくするには、コイルの単位長さ当たりの巻数Ｎやコイル断面積Ｓを大きくすれば良いが、電流検出用コイルとしてロゴスキーコイルを用いる場合、１次側の電流が流れる電線の貫通位置による影響を抑えるため、巻きピッチのばらつきを抑え、精度良く巻く必要がある。
【０００８】
近年、前記の問題を解決する空芯のコイル（ロゴスキーコイル）の構造として、プリント基板の両面を用いて、裏面側と表面側とをスルーホールで接続しコイル状になるようにパターニングしてコイルを形成する構成が提案されている（例えば、特許文献１）。
【特許文献１】特開２００３−５０２５４公報（図１、段落番号００３９〜００４０）
【発明の開示】
【発明が解決しようとする課題】
【０００９】
ところで上述の特許文献１に開示されているようなプリント回路基板を用いたコイルでは、ピッチのばらつき精度といった点についてはコイル巻きと比較して良いものの、プリント基板の表裏の接続を１ターン毎にスルーホールで行うために、穴あけ、メッキ等工程が多く、コストが高いといった問題があった。また、スルーホールは範囲にランドが必要であり、これがピッチを細かくする妨げとなっていた。
【００１０】
本発明は、上述の問題点に鑑みて為されたもので、その目的とするところは、ピッチ精度が良く、且つ高ピッチ形成可能で、安価に製造可能なコイル及びそれを用いた電流センサを提供することにある。
【課題を解決するための手段】
【００１１】
前記目的を達成するために請求項１のコイルの発明では、板状に形成され、片側の板面を基準面として該基準面に凹形状若しくは凸形状の複数の変形部を長手方向が並行するように等間隔に設けた非磁性材からなる絶縁ベースと、前記各変形部の長手方向の両端間表面に第１の導体を形成するとともに、各隣接する二つの変形部の一方の一端から両変形部間を介して他方の他端に至る前記板面部位に第２の導体を形成して該第２の導体により隣接する二つの変形部の一方の第１の導体の一端と他方の第１の導体の他端を電気的に接続することによりコイル線路部を蛇行状に構成したコイル線路部と、前記コイル線路部近傍の前記板面に設けられ、前記コイル線路部の始端、終端を夫々接続する第１、第２の出力端子とから成ることを特徴とする。
【００１２】
請求項１のコイルの発明によれば、絶縁ベースの片面のみへの加工であるから、従来のスルーホールを用いた両面基板のときのように表裏の位置合わせが不要となって製造が容易となり、しかも絶縁ベースの裏面を別の用途に使用することが可能で、その上スルーホールを設けるときに必要であったランドが不要となるため、ピッチを細かくすることができ、更にまた絶縁ベースを成形すると同時に同じ金型により変形部を成形することで、変形部の間隔を精度良することができ、しかも構造が簡単なので、歩留まりが良く、安価に製造することが可能である。
【００１３】
請求項２のコイルの発明では、請求項１の発明において、前記第１の導体の導電率と、第２の導体の導電率とを異ならしていることを特徴とする。
【００１４】
請求項２のコイルの発明によれば、変形部のようなエッチング工法によるパターン形成が困難な場所に対しては導電性インクによって導体を形成し、エッチング工法によってパターン形成が容易な絶縁ベースの板面に対しては導電率の高い銅箔からなる導体を形成することで、コイル線路部の抵抗値が高くならず、所望の抵抗値のコイル線路部を実現できる。
【００１５】
請求項３のコイルの発明では、請求項１又は２の発明において、前記絶縁ベースは、スリット状の貫通孔を長手方向が並行するように等間隔に形成し、前記各貫通孔の一端側から当該貫通孔に並行隣接する表面上を介して隣接する貫通孔の他端側に至る前記第２の導体を形成した板状の第１の絶縁体と、前記貫通孔の形成間隔と同じ間隔で並行する複数の前記第１の導体を表面に形成し、前記第１の絶縁体の各貫通孔に各第１の導体を臨ませ且つ第1の導体の一端を両側に隣接する第２の導体の一方の一端に接続し、他端を他方の他端に電気的に接続し、前記第１の絶縁体の裏面に貼り合わせた第２の絶縁体とから成ることを特徴とする。
【００１６】
請求項３のコイルの発明によれば、第１、第２の導体をエッチング工法等によりパターン形成することが可能な銅箔を用いることが可能となり、そのため抵抗値が高くないコイル線路部を容易に実現できる。
【００１７】
請求項４のコイルの発明では、請求項３の発明において、前記第１の導体と前記第２の導体との電気的接続部位は、両絶縁体の貼り合わせ後に塗布される導電性インクにより形成されていることを特徴とする。
【００１８】
請求項４のコイルの発明によれば、第１，第２の導体の電気的接続性を向上させることができる。
【００１９】
請求項５のコイルの発明では、請求項１又は２の発明において、前記絶縁ベースは前記各変形部間の板面部位に前記変形部位の変位方向とは逆方向に変位させた別の変形部を夫々並行形成して該別の並行部の表面の長手両端方向に前記第２の導体を形成していることを特徴とする。
【００２０】
請求項５のコイルの発明によれば、基準面となる絶縁ベースの板面に対して小さな高低差でコイル線路部の断面積を大きくすることができる。
【００２１】
請求項６のコイルの発明では、請求項１乃至５の何れかの発明において、前記各変形部の長手両端方向における端部を傾斜面若しくはＲ面により形成していることを特徴とする。
【００２２】
請求項６のコイルの発明によれば、変形部の端縁において導体に応力がかからないようにすることができ、その結果導体の破断を防ぐことができる。
【００２３】
請求項７のコイルの発明では、請求項１乃至６の何れかの発明において、前記絶縁ベースは各導体のパターン形成面に、導体のパターン形成ガイド用の溝を設けていることを特徴とする。
【００２４】
請求項７のコイルの発明によれば、導電性インクにより導体を形成する際に導電性インクを溝内に集めることができ、そのため折り曲げ等の応力により導体の破断を防ぐことができ、またパターニングの位置精度を高めることができる。
【００２５】
請求項８のコイルの発明では、中央辺が並行するように等間隔にパターン形成された略Ｚ字状の複数の第１の導体を片側の板面に形成した平板状の絶縁体と、前記各第１の導体を覆うように前記絶縁体の前記板面に重ねられて配設される絶縁性薄膜とで構成された絶縁ベースと、隣接する二つの前記第１の導体の一方の一端と他方の他端との間を電気的に接続する第２の導体を前記絶縁性薄膜表面に形成して前記第１の導体と前記第２の導体とで蛇行状に構成されたコイル線路部と、前記コイル線路部近傍の前記板面に設けられ、前記コイル線路部の始端、終端を夫々接続する第１、第２の出力端子とから成ることを特徴とする。
【００２６】
請求項８のコイルの発明によれば、絶縁ベースの片面のみへの加工であるから、従来のスルーホールを用いた両面基板のときのように表裏の位置合わせが不要となって製造が容易となり、しかも絶縁ベースの裏面を別の用途に使用することが可能な上に、上述スルーホールを設けるときに必要であったランドが不要な上に、ピッチを細かくすることができ、更にまた変形部の形成を例えば絶縁ベースの成形する金型により形成することで、変形部の間隔を精度良することができ、しかも構造が簡単なので、歩留まりが良く、安価に製造することが可能であり、特に平板状の絶縁体上に導体のパターン形成と、絶縁性薄膜の積層及び導体のパターン形成とを順次行うことで形成することができ、多層のコイル形成を可能とする。
【００２７】
請求項９の電流センサの発明では、請求項１乃至８のコイルを用い、前記絶縁ベースを円筒状に形成するとともにコイル線路部の終端をコイル巻き戻し線路部により始端側に戻したロゴスキーコイルを構成して電流検出用コイルとしていることを特徴とする。
【００２８】
請求項９の電流センサの発明によれば、請求項１乃至７又は８のコイルの特徴を生かしたロゴスキーコイルにより高精度で、低コスト、更に小型化が可能な電流検出用コイルを備えた電流センサを提供できる。
【００２９】
請求項１０の電流センサの発明では、請求項９の発明において、前記絶縁ベースの裏面に導体箔を貼り付けてシールド部を構成し、前記コイル巻き戻し線路部を介して前記コイル線路部の終端を接続する第２の出力端子を前記導体箔に電気的に接続していることを特徴とする。
【００３０】
請求項１０の電流センサの発明によれば、配線とコイル線路部との間の静電結合によって商用周波数の静電ノイズが発生するのを導体箔のシールド部で防ぐことができる。
【００３１】
請求項１１の電流センサの発明では、請求項１０の発明において、前記コイル線路部の終端を前記導体箔に接続するとともに、前記出力端子を前記コイル線路部の始端付近で前記導体箔に電気的に接続し、前記導体箔をコイル巻き戻し線路部として用いたことを特徴とする。
【００３２】
請求項１１の電流センサの発明によれば、ロゴスキーコイルのコイル巻き戻し線路部をシールド部の導体箔で兼用することによって、構成を無駄の無い構成とすることができる。
【００３３】
請求項１２の電流センサの発明では、請求項１０又は１１の発明において、前記導体箔に並行する複数条の絶縁用切り込みを形成していることを特徴とする。
【００３４】
請求項１２の電流センサの発明によれば、外部からの磁束がシールド部の導体箔に鎖交する際の渦電流の発生を抑制することができ、そのため渦電流によって生じる不均一な電位差を起因とするシールド性能の低下を防ぐことができる。
【００３５】
請求項１３の電流センサの発明では、請求項９、１０又は１２の発明において、前記コイル巻き戻し線路と前記コイル線路部のコイル線路部とを同形状に形成していることを特徴とする。
【００３６】
請求項１３の電流センサの発明によれば、外乱磁界を効果的に防ぐことができるという効果がある。
【００３７】
請求項１４の電流センサの発明では、請求項１３の発明において、前記コイル線路部の形成位置と、前記巻き戻し線路の形成位置とを前記変形部の両端方向にずらして両線路を並行させて前記コイル線路部と前記巻き戻し線路の巻き方向を同じ方向としたことを特徴とする。
【００３８】
請求項１４の電流センサの発明によれば、外乱磁界を効果的に防ぐことができ、また同一面にコイル線路部とコイル巻き戻し線路部を形成することが可能となって、製造が容易で、且つ被測定電流が流れる電線の貫通位置の精度向上が期待できる。
【００３９】
請求項１５の電流センサの発明では、請求項９の発明において、前記変形部の両端方向に並行する前記第１，２の導体間の前記絶縁ベース表面に、グランド用導体を第１，第２の導体に並行するように形成していることを特徴とする。
【００４０】
請求項１５の電流センサの発明によれば、コイル線路部の導体のパターニングと同時にシールド効果が期待できるグランド用導体のパターン形成を行うことができ、そのため導体箔の貼り付け場合に比べて工程数を削減することができる。
【００４１】
請求項１６の電流センサの発明では、請求項１５の発明において、グランド用導体は前記変形部の表面と、隣接する変形部間の絶縁ベースの板面部位に交互に形成していることを特徴とする。
【００４２】
請求項１６の電流センサの発明によれば、基準面となる板面と変形部の両方に対する静電ノイズを防止する効果が期待できる。
【発明の効果】
【００４３】
本発明は、絶縁ベースの片面のみへの加工であるから、従来のスルーホールを用いた両面基板のときのように表裏の位置合わせが不要となって製造が容易となり、しかも絶縁ベースの裏面を別の用途に使用することが可能で、その上スルーホールを設けるときに必要であったランドが不要となるため、ピッチを細かくすることができ、更にまた絶縁ベースを成形すると同時に同じ金型により変形部を成形することで、変形部の間隔を精度良することができ、しかも構造が簡単なので、歩留まりが良く、安価に製造することが可能であるという効果を奏するコイル及びそれを用いた電流センサを提供することができる。
【発明を実施するための最良の形態】
【００４４】
以下本発明を実施形態により説明する。
（実施形態１）
本実施形態のコイルは、図１に示すように非磁性材で絶縁性を有する樹脂成形品からなる平板状の絶縁ベース１の片側の板面（表面）側に蛇行したコイル線路部２を形成したものであって、コイル線路部２の一対の出力端子３ａ，３ｂはコイル線路部２近傍の絶縁ベースの一対の対角部付近の板面上に夫々設けてある。
【００４５】
絶縁ベース１は長手方向に絶縁ベース１の平坦な板面を基準面として凹形状（溝状）に変位させた変形部４を等間隔で長手方向が並行するように複数形成しており、コイル線路部２は絶縁ベース１上に形成されたものである。つまり各変形部４の長手両端間の表面（内面）に図２（ａ）に示すように形成した第１の導体５と、各隣接する変形部４，４間の絶縁ベース１の板面部位上に図２（ｂ）に示すように形成し、且つ一端を隣接する一方側の変形部４の第１の導体５の一端に、他端を隣接する他方側の変形部４の第１の導体５の他端に電気的に接続するように延長形成した第２の導体６とで全体が蛇行状に構成され、始端側の導体５の端部を前記基準面上に形成した接続用導体６ａを介して第１の出力端子３ａに、終端側の導体５の端部を前記基準面上に形成した接続用導体６ｂを介して第２の出力端子３ｂに電気的に接続している。
【００４６】
そして変形部４の底面と基準面たる板面との高低差の間隔が絶縁ベース１の長手方向に連なることでコイルの空芯たる中心透孔が形成されることになる。
【００４７】
ここで第１の導体５のパターンは変形部４の内面に導電性インクを噴射してパターニングが可能なインクジェット印刷（或いはスタンプ方法）によって形成し、絶縁ベース１の板面上に形成する第２の導体６及び接続用導体６ａ，６ｂは銅箔によるパターニングが可能なエッチング工法により形成する。勿論第２の導体６，６ａ，６ｂを導電性インクによって形成しても良い。
【００４８】
上述のインクジェット印刷によるパターニングを行う場合、パターニングを確実に行うために、導電性インクの噴射方向に対して変形部４の印刷部位がなるべく直角になるように印刷部位に勾配を設ける必要がある。インクジェット印刷を採用することで、パターニング幅を数十μｍ程度まで微細化できるので、変形部４の形状の形状に対して余裕のあるパターニングが可能である。
【００４９】
これにより変形部４での導体形成が容易に行える上に、導電率の低い導電性インクの導体のみではコイル線路部の抵抗値が高くなるのを、基準面となる板面での導体６，６ａ，６ｂを導電性の高い銅箔によって形成することでコイル線路部の抵抗値を低く抑えることができ、製造上の容易性と良好な電気的特性の確保とを同時に図れる。
【００５０】
而して本実施形態では、絶縁ベース１の片側板面（表面）側のみへの加工によりコイル線路部２を形成することができるから、製造が容易上に線間のピッチを細かくすることができ、更にまた変形部４を絶縁ベース１の成形する金型により形成することで、変形部４の間隔を精度良することができる。また上述のようにインクジェット印刷によるパターニングを確実にするために変形部４の長手両端内面を上り傾斜した斜面（勾配）とすれば、変形部４と基準面との境界部位（エッジ部位）での導体破断も起きにくく、歩留まりの向上が図れる。更に長手両端内面に勾配を形成する代わりに、図２（ｃ）に示すように変形部４の長手両端方向の内面全体をなだらかなＲ面とすることで、勾配と同様にインクジェット印刷によるパターニングが確実になり、導体破断をも同様に防ぐことができる。導体材料によって破断が生じにくい場合には変形部４の両端の内面を底面から垂直に立ち上がる面としても勿論良く、勾配やＲ面に形成することに限定されるものではない。
【００５１】
ところで図１のコイルは絶縁ベース１が平板状のままであるが、絶縁ベース１をフレキシブルな絶縁性の樹脂成形体で形成して両端を図３に示すように突き合わせるよう円筒形状とすることで、トロイダル状のコイルを構成することもできる。
【００５２】
また図４（ａ），（ｂ）に示すように円筒状に成形した絶縁性樹脂成形品で絶縁ベース１を構成し、その絶縁ベース１の平坦な板面である表面若しくは裏面を基準面として、上述と同様な変形部４を円周方向に等間隔で形成し、図１の場合と同様な導体５，６を設けることでコイル線路部２を形成してもトロイダル状のコイルを形成することができる。
【００５３】
更に絶縁ベース１を図５に示すように円環状に形成して、その基準面に周方向に等間隔に変形部４を形成し、図１の場合と同様な導体５，６を設けてコイル線路部２を形成してもトロイダル状のコイルを実現できる。
【００５４】
また図１の場合には導体５，６，６ａ，６ｂは幅広なパターンであったが、図６（ａ），（ｂ）に示すように線状のパターンにより形成しても良い。この場合、上述したようにインクジェット印刷を採用して導電性インクによって微細な導体５，６、６ａ，６ｂを形成しても良い。この場合も導体５を導電性インクのパターンで形成し、導体６，６ａ，６ｂをエッチング工法にて形成した銅箔パターンで形成することで、製造上の容易性の確保と、コイル線路部の抵抗値が高くなるのを抑えることもできる。勿論導体６，６ａ，６ｂを導電性インクで形成しても良い。
【００５５】
尚変形部４の底面に導電性インクにより導体５を形成する場合には、変形部４の底面に長手両端方向に図７（ａ），（ｂ）に示すように横断面形状がＶ字又はＵ字に形成してパターン形成ガイド用溝７とし、これにより導電性インクにより導体５を形成する際に導電性インクを溝７内に集めることができ、そのため折り曲げ等の応力により断線がしにくい導体５を形成することができ、またパターニングの位置精度を高めることができる。尚図７では導体６も導電性インクで形成する場合に対応させて導体６を形成する板面（基準面）にも同様なパターン形成ガイド用溝７’を設けてある。
【００５６】
更に図１の場合には導体６は変形部４，４間の絶縁ベース１の基準面上に変形部４の導体５と並行させる形で形成しているが、図８（ａ），（ｂ）に示すように変形部４，４間に凸形状の変形部４０を形成し、この変形部４０の長手方向に導体６を形成するようにしても良い。この構成の場合基準面たる絶縁ベース１の基準面に対して小さな高低差でコイルの空芯部の断面積を大きくすることができる。尚変形部４０に形成する導体６は導電性インクをインクジェット印刷によって吹き付けることによってパターン形成したもので、凸形状の表面へのパターニングを容易としている。また変形部４０にあっても両端面に勾配（若しくはＲ面）を持たせることで導体６の破断を防ぐようになっている。
（実施形態２）
上述の実施形態１は、一般的な空芯のコイルであったが、空芯のコイルの一つである所謂ロゴスキーコイルを構成し、このロゴスキーコイルを用いて電流センサとしたのが本実施形態である。
【００５７】
ここで本実施形態のロゴスキーコイルは、図９に示すように第１，第２の出力端子３ａ，３ｂを絶縁ベース１の一端側に配置し、コイル線路部２の始端側を第１の出力端子３ａに接続し、コイル線路部２と並行するように絶縁ベース１の片側の基準面上に形成したコイル巻き戻し線路部８を介して、コイル線路部２の終端側を第２の出力端子３ｂに接続したものである。
【００５８】
そして絶縁ベース１としてフレキシブルな絶縁性の樹脂成形体（例えば可撓性を有し、変形部４の形成加工が容易で導体のパターニングができるものであれば良く、特に熱可塑性樹脂が適している）を用い、図１０に示すように充電部が露出するコイル線路部２を内側とし、且つコイル線路部２の端部を合わせために、絶縁ベース１の両端部が一部重なるようにして円筒形状に曲げて、ロゴスキーコイルからなる電流検出用コイルＡを構成している。コイル線路部２の充電部が露出するコイル線路部２を保護するために実際に使用する場合には保護用構造体に入れると良い。
【００５９】
尚コイル巻き戻し線路部８の導体形成は導体６、６ａとともにエッチング工法によよって銅箔により形成している。勿論これら導体６，６ａとともに導電性インクで形成しても良い。その他の構成は実施形態１の構成と同じであるので、同じ構成要素には同じ符号を付して説明は省略する。
【００６０】
図１０は上述の電流検出用コイルＡを用いた電流センサ全体の構成を示しており、電流検出用コイルＡの出力端子３ａ，３ｂからの出力電圧を積分する積分回路９ａと、積分出力をセンサ仕様に応じた電圧まで増幅する増幅回路９ｂとからなる信号処理部９を設け、電流検出用コイルＡで検出する電流に対応した電流波形に復元した検出出力を出力するようなっている。尚ロゴスキーコイルからなる電流検出用コイルＡの出力電圧が微小なため、電流検出用コイルＡと信号処理回路部９との接続には、外部ノイズの影響を防ぐためにツイストペアシールド線等を用いることが望ましく、理想的には電流検出用コイルＡと信号処理回路部９とを一体化させて接続線を無くすことが望ましい。
【００６１】
更に電流検出用コイルＡとしての感度を上げるために、並行する導体５，６の間隔をなるべく微細化し、また凹形状の変形部４の基準面からの深さ（後述する凸形状の変形部の場合には高さ）が大きい程、出力電圧が大きくなり感度がよくなる。例えば、間隔を２００μｍとし、絶縁ベース１の変形部４の深さを１００μｍ、変形部４の長手両端方向の長さを２０ｍｍとして、円筒形状に丸めてトロイダルコイル型の電流検出用コイルＡとした場合、出力電圧は約３．９μＶ／Ａ（１次側の周波数が５０Ｈｚ時）の電圧が発生する。この場合、絶縁ベース１の大きさは、例えば１００ｍｍ×２５ｍｍ、厚さが０．２ｍｍが適当である。勿論絶縁ベース１の大きさは、電流検出用コイルＡが設置される場所の形状等の物理的制約、貫通する１次側の電線の直径等当該コイルが使用される外的条件に応じて変更することができる。
【００６２】
更に絶縁ベース１としては図４に示すような円筒状に成形したものを用いても良い。また電流検出用コイルＡとしては円筒状でなく、図５のような円環状であっても良い。更に変形部４の形状としては図３（ａ），（ｃ）のような構成を、更に図７（ａ），（ｂ）のようなパターン形成ガイド用溝７を用いた構成を採用しても良い。更にまた図６に示すような線状の導体パターンを採用しても良い。また更に図８のような構成の絶縁ベース１を用いても良い。
【００６３】
コイル巻き戻し線路部８を図１１に示すように絶縁ベース１の裏面の中央に長手方向に形成し、その一端に絶縁ベース１の表面側のコイル線路部２の終端をスルホールを介して接続し、他端に絶縁ベース１の表面側の出力端子３ｂをスルホールを介して接続するようにしても良い。尚図１１ではコイル線路部２を模式的に示しているが、コイル線路部２を構成する第１，第２の導体５，６及び接続構成の構造は実施形態１に準ずるものとする。
（実施形態３）
ところで実施形態２のように電流センサの電流検出用コイルＡとしては用いる場合、静電ノイズの影響を考慮しなければならない。そこで本実施形態では図１２（ａ）に示すようにコイル線路部２の形成部位に対応した絶縁ベース１の裏面に導体箔１０を貼り付けてシールド部を構成している。そしてグランド側の出力端子３ｂ側のコイル巻き戻し線路部８の端部を絶縁ベース１に形成したスルホール１１を利用して裏面側に導体箔１０に電気的に接続している。
【００６４】
而して本実施形態では導体箔１０からなるシールド部で静電ノイズによる影響を排除することができ、またコイル線路部２が設けられない絶縁ベース１の裏面を有効に活用できる。
【００６５】
尚コイル線路部２を図１２（ａ）では模式的に示しているが、コイル線路部２を構成す第１、第２の導体５，６及び接続構成の構造は実施形態１に準ずるものとする。
（実施形態４）
前記実施形態３ではコイル巻き戻し線路部８を絶縁ベース１の表面側に形成しているが、本実施形態では、図１２（ｂ）に示すようにコイル線路部２の終端をスルホール１２ａを用いて絶縁ベース１の長手方向の一端側の裏面に位置する導体箔１０の端部中央に電気的に接続し、また出力端子３ｂに一端を接続した導体６ｃの他端をスルホール１２ｂを用いて絶縁ベース１の長手方向の他端側の裏面に位置する導体箔１０の端部中央に電気的に接続することで、シールド部を構成する導体箔１０をコイル巻き戻し線路部として兼用している。
【００６６】
而して本実施形態では導体箔１０によって静電ノイズの影響を排除することができる上に、コイル巻き戻し線路部をパターニング形成する必要が無い。
【００６７】
尚コイル線路部２を図１２（ｂ）では模式的に示しているが、コイル線路部２を構成する第１，第２の導体５，６及び接続構成の構造は実施形態１に準ずるものとする。
（実施形態５）
実施形態３，４では絶縁ベース１の裏面に導体箔１０によるシールド部を形成しているが、導体箔１０を貫く磁界によって導体箔１０に渦電流が発生してノイズ増大の恐れがあるので、本実施形態では、図１２（ｃ）に示すように長手方向に切れ込み１３を複数並行形成し、この切れ込み１３によって渦電流に対する絶縁効果を図り、ノイズ低減を図っている。つまり渦電流による電位差によってノイズが発生するのを防ぐようになっている。
【００６８】
尚本実施形態は、コイル巻き戻し線路部を導体箔１０により構成した実施形態４の構成を利用しているが、実施形態３の導体箔１０に対して切れ込み１３を入れても勿論良い。
（実施形態６）
実施形態２、３ではロゴスキーコイルとして構成するためのコイル巻き戻し線路部８とコイル線路部２とを絶縁ベース１の同一面（表面）に形成しているが、本実施形態では図１３（ａ）に示すように同一面側にコイル線路部２と同じ形状で、絶縁ベース１の短手方向に位置をずらしてコイル線路部２と並行するようにコイル巻き戻し線路部８を形成することで、スルホール等を利用する必要が無く、しかも外乱磁界を防ぐ効果を上げている。
【００６９】
図１３（ａ）は線路部構成を模式的に示したものであるが、本実施形態では、実際には図１３（ｂ）に示すように絶縁ベース１の成形時に凹形状の変形部４を形成するとともに、隣接する変形部４，４間に絶縁ベース１の基準面を基準面として上向きに突出させた凸形状の変形部４０を形成して、この変形部４を交互にコイル巻き戻し線路部８の導体８０の形成部と、コイル線路部２の第１の導体５の形成部とするとともに、変形部４０をコイル戻し線路８の導体８０’の形成部と、コイル線路部２の第２の導体６の形成部として使用するようになっている。
【００７０】
そして導体５，６の接続を絶縁ベース１の基準面に形成した導体６０ａ、６０ｂにより行って蛇行状のコイル線路部２を構成している。同様に体８０，８０’間の接続を絶縁ベース１の基準面に形成した導体８０ａ、８０ｂにより行うことで蛇行状のコイル巻き戻し線路部８を構成している。
【００７１】
尚導体５，６及び８０、８０’は共にインクジェット印刷工法による導電性インクのパターンで形成する。また本実施形態では工程を簡略化するために導体６０ａ、６０ｂ，８０ａ、８０ｂもインクジェット印刷によって形成しているが、エッチング工法による銅箔によって形成することで低抵抗値を図っても良い。
（実施形態７）
上述のように実施形態３〜導体箔１０を用いてシールド部を構成しているが、本実施形態では、図１４（ａ）に示すようにコイル戻し線路部８からコイル線路部２の並行する導体５，６間に介在するシールド線路８１を延出形成し、これらシールド線路８１により静電ノイズに対するシールド部を構成して、静電ノイズに対する対策を図っている。このシールド線路８１は、具体的には図１４（ｂ）に示すように絶縁ベース１の基準面上に形成された第２の導体６と並行するように基準面上に形成してある。
（実施形態８）
実施形態７ではコイル戻し線路部８から延出したシールド線路８１をコイル線路部２の並行する導体６，６間に片方から介在させた構成であるが、本実施形態は図１５（ａ）に示すようにコイル戻し線路部８に対してコイル線路部２を挟んで反対側の絶縁ベース１の基準面上にコイル戻し線路８と並行する形でグランド線路部８’を形成し、このグランド線路部８’からもシールド線路８１’を延出させてシールド線路８１とは反対方向からコイル線路部２の導体５，６ａ間に介在させている。グランド線路部８’は出力端子３ｂ付近でコイル戻し線路部８に対して接続してある。シールド線路８１’は、具体的には図１５（ｂ）に示すように変形部４内に導体５と並行するように延出形成してある。
（実施形態９）
前記各実施形態の絶縁ベース１は一枚の絶縁性樹脂成形品により構成したものであったが、本実施形態では図１６に示すように絶縁ベース１を、スリット状の貫通孔１４を等間隔に複数並行形成し、前記各貫通孔１４の一端側から当該貫通孔１４に並行隣接する表面上を介して隣接する貫通孔の他端側に至るＺ字状の第２の導体６を形成した板状の第１の絶縁体１ａと、貫通孔１４の長手方向の長さよりやや長く、また開口形状の幅と略同一の幅で且つ貫通孔１４の間隔と同じ間隔で並行する複数の第１の導体５を表面に形成した第２の絶縁体１ｂとで構成した点に特徴があり、第１の絶縁体１ａの各貫通孔１４に対応する各第１の導体５を臨ませ且つ第1の導体５の一端を両側に隣接する第２の導体６の一方の一端に接続し、他端を他方の他端に臨ませるように第１の絶縁体１ａの裏面に第２の絶縁体１ｂを貼り合わせることで、貫通孔１４と貫通孔１４の底部となる絶縁体１ｂによって実施形態１と同様な凹形状の変形部４を夫々形成するようになっている。
【００７２】
ここで第２の導体６の端部は各貫通孔１４の両端の傾斜面（勾配）上に延長形成しており、絶縁体１ａ，１ｂの貼り合わせ時には導体５の端部と接触して電気的に接続されるが、接触信頼性を高めるために貼り合わせ後電気接続部位に導電性インクをインクジェット印刷により塗布して両者の電気的接続を確実にしている。
【００７３】
ここで本実施形態でもロゴスキーコイルの電流検出用コイルＡとするため、絶縁体１ａにはコイル戻し線路８を配線してある。また円筒状に形成するために絶縁体１ａ，１ｂは、何れも可撓性を有する絶縁性体により構成してある。例えば貫通孔１４を設ける絶縁ベース１ａは、例えば厚さ２００μｍのフィルムでありポリイミドフィルム等を用いることができる。この絶縁フィルムからなる絶縁体１ａの導体６は、例えばスパッタリング工法を用いて銅箔で形成することも、インクジェット印刷方法を用いて導電性インクによって形成することもできる。また絶縁体１ｂは表面が平坦面であるので、導体５はスパッタリング工法によって形成することもできるが、プリント回路基板の工法であるエッチングによるパターニングも可能である。この場合、厚さが例えば１８μｍ程度の銅箔で導体５を形成できるので、導体５，６を共に銅箔で形成すれば、コイル線路部２の抵抗値を非常に低抵抗値とすることが可能である。尚両絶縁体１ａ，１ｂの材料としては貼り合わせることを考えると、互いに接着力が強く、熱などに対する変形に対して同等の性質を有するものが好ましい。
【００７４】
尚図１６では出力端子の図示を省略してあるが、実施形態２の場合と同様にコイル線路部２の始端を接続する出力端子と、コイル戻し線路８を介してコイル線路部２の終端とを接続する出力端子とを設けてある。
【００７５】
而して本実施形態によるコイルでは、両面基板を用いてコイルを構成する場合のようにスルホールのランドの存在によって導体５，６間隔を微細化することは難しいが本実施形態のような構造ではランド等のスペースを必要としないため、間隔を細かくすることが可能である。
（実施形態１０）
本実施形態では、変形部４を凸状形状とするものであって、図１７（ａ）に示すように中央辺が並行するように等間隔にパターン形成された略Ｚ字状の複数の導体６を片側の基準面となる表面に形成した平板状の絶縁体１ｃと、前記各導体６の両端部以外を覆うように絶縁体１ｃ上に図１７（ｂ）に示すように貼り合わせて絶縁ベース１を構成する絶縁性薄膜たる絶縁フィルム１ｄとからなり、この図１７（ｂ）に示すように絶縁体１ｃ上に絶縁フィルム１ｄを貼り合わせ後に、隣接する二つの前記導体６の一方の一端と他方の他端との間を電気的に接続する導体５をインクジェット印刷方法により導体インクを絶縁フィルム１ｄ上に噴射してパターン形成し、図１７（ｃ），（ｄ）に示すように導体５，６とで蛇行状のコイル線路部２を構成するようになっている。
【００７６】
而して本実施形態では絶縁体１ｃの表面を基準面としたときに絶縁フィルム１ｄの厚み分だけが基準面より高くなり、絶縁フィルム１ｄが変形部として機能することになる。
【００７７】
尚本実施形態でもロゴスキーコイルとして電流検出用コイルＡとするため、絶縁体１ａにはコイル戻し線路８を配線してある。また図１７では出力端子の図示を省略してあるが、実施形態２の場合と同様にコイル線路部２の始端を接続する出力端子と、コイル戻し線路８を介してコイル線路部２の終端とを接続する出力端子とを設けてある。
【００７８】
ここで絶縁体１ｃが平坦面を有する平板状の絶縁性樹脂成形体で形成しているので、導体６の形成方法としてはスパッタリング工法を用いることもエッチング工法を用いることもできる。また絶縁フィルム１ｄも表面が平坦面であるため導体５の形成にはインクジェット印刷による方法以外にスパッタリング等を採用することもできる。
【図面の簡単な説明】
【００７９】
【図１】実施形態１の一部省略せる斜視図である。
【図２】（ａ）は図１のＡ−Ａ断面図、（ｂ）は図１のＢ−Ｂ断面図で、（ｃ）は実施形態１の変形部の別の例の断面図である。
【図３】実施形態１の変形例に用いる絶縁ベースの斜視図である。
【図４】実施形態１の別の変形例に用いる絶縁ベースを示すもので、（ａ）は斜視図、（ｂ）は平面断面図である。
【図５】実施形態１の他の変形例に用いる絶縁ベースの平面図である。
【図６】実施形態１の別の導体形成例を示すもので、（ａ）は一部破断省略せる斜視図、（ｂ）は同上の拡大斜視図である。
【図７】（ａ）は実施形態１に用いる別の絶縁ベース例の断面図、（ｂ）は実施形態１に用いる他の絶縁ベース例の断面図である。
【図８】実施形態１の他の絶縁ベースを用いた例を示すもので、（ａ）は一部破断省略せる斜視図、（ｂ）は（ａ）のＣ−Ｃ断面図である。
【図９】実施形態２の一部省略せる斜視図である。
【図１０】実施形態２による電流センサの回路構成図である。
【図１１】実施形態２のへ変形例の模式図である。
【図１２】（ａ）は実施形態３の模式図、（ｂ）は実施形態４の模式図、（ｃ）は実施形態５の模式図である。
【図１３】実施形態６を示すものであって、（ａ）は模式図、（ｂ）は一部省略せる斜視図である。
【図１４】実施形態７を示すものであって、（ａ）は模式図、（ｂ）は一部省略せる斜視図である。
【図１５】実施形態８を示すものであって、（ａ）は模式図、（ｂ）は一部省略せる斜視図である。
【図１６】実施形態９の一部省略せる分解斜視図である。
【図１７】実施形態１０の製造プロセスの説明図である。
【符号の説明】
【００８０】
１  絶縁ベース
２  コイル線路部
３ａ，３ｂ  第１、第２の出力端子
４  変形部
５  第１の導体
６  第２の導体
【図１】
2006196778.tif 000004
【図２】
2006196778.tif 000005
【図３】
2006196778.tif 000006
【図４】
2006196778.tif 000007
【図５】
2006196778.tif 000008
【図６】
2006196778.tif 000009
【図７】
2006196778.tif 000010
【図８】
2006196778.tif 000011
【図９】
2006196778.tif 000012
【図１０】
2006196778.tif 000013
【図１１】
2006196778.tif 000014
【図１２】
2006196778.tif 000015
【図１３】
2006196778.tif 000016
【図１４】
2006196778.tif 000017
【図１５】
2006196778.tif 000018
【図１６】
2006196778.tif 000019
【図１７】
2006196778.tif 000020